(57)【特許請求の範囲】
【請求項１】
自衛消防隊員が携帯する携帯端末の位置情報を取得する隊員位置情報取得部と、
前記取得された位置情報を時刻情報と対応付けて履歴情報として記憶部に格納する隊員位置情報格納部と、
指定された期間に対応する携帯端末の位置情報を前記記憶部から抽出する隊員位置情報抽出部と、
前記抽出された携帯端末の位置情報を時系列に並べたリストと、前記抽出された携帯端末の位置情報のうち前記指定された期間内で指定された時刻に対応する携帯端末の位置情報が示す位置を図示する平面図又は立面図の少なくとも一方を並べて表示部に表示させる表示制御部と
を備えることを特徴とする情報処理システム。
【請求項２】
自衛消防隊員が携帯する携帯端末の位置情報を取得する隊員位置情報取得部と、
前記取得された位置情報を時刻情報と対応付けて履歴情報として記憶部に格納する隊員位置情報格納部と、
携帯端末の位置情報を時系列に並べたリストと、携帯端末の位置情報が示す位置を図示する平面図又は立面図の少なくとも一方を並べて表示部に表示させる表示制御部と
を備えることを特徴とする情報処理システム。
【請求項３】
自衛消防隊員が携帯する携帯端末の位置情報を取得する隊員位置情報取得部と、
前記取得された位置情報を時刻情報と対応付けて履歴情報として記憶部に格納する隊員位置情報格納部と、
防災設備の作動状況を示す作動情報を取得する作動情報取得部と、
前記取得された作動情報を時刻情報と対応付けて履歴情報として記憶部に格納する作動情報格納部と、
作動情報を時系列に並べたリストを表示し、前記リストに表示される作動情報を選択すると該作動情報の格納時刻に対応する携帯端末の位置情報が示す位置を図示する平面図又は立面図の少なく一方を表示部に表示させる表示制御部と
を備えることを特徴とする情報処理システム。
【発明の詳細な説明】
【技術分野】
【０００１】
本発明は、自衛消防隊員の位置情報又は防災設備の作動情報の履歴を記録する情報処理システムに関する。
【背景技術】
【０００２】
従来、火災等の緊急事態発生時に自衛消防隊の活動を支援する防災支援システムが知られている。例えば特許文献１には、自衛消防隊員が携帯する携帯端末に当該隊員の現在位置を地図表示する防災支援システムが記載されている。
【先行技術文献】
【特許文献】
【０００３】
【特許文献１】特開２０１５−２２５４２６号公報
【発明の概要】
【発明が解決しようとする課題】
【０００４】
従来の防災支援システムでは自衛消防隊員の位置情報の履歴が保存されず、自衛消防隊員の活動を事後に分析して評価することができなかった。
本発明はこのような事情に鑑みてなされたものであり、自衛消防隊員の活動を分析して評価するために、自衛消防隊員の位置情報又は防災設備の作動情報の履歴を利用できるようにする情報処理システムを提供することを目的としている。
【課題を解決するための手段】
【０００５】
上述した課題を解決するため、本発明は、自衛消防隊員が携帯する携帯端末の位置情報を取得する隊員位置情報取得部と、前記取得された位置情報を時刻情報と対応付けて履歴情報として記憶部に格納する隊員位置情報格納部とを備えることを特徴とする情報処理システムを提供する。
【発明の効果】
【０００６】
本発明に係る情報処理システムによれば、自衛消防隊員の活動を分析して評価するために、自衛消防隊員の位置情報又は防災設備の作動情報の履歴を利用できるようにすることができる。
【図面の簡単な説明】
【０００７】
【図１】自火報設備１００と情報処理システム２００の構成の一例を示すブロック図である。
【図２】火災受信機３と携帯端末５と支援サーバ６の機能の一例を示すブロック図である。
【図３】隊員位置情報データベースＤＢ４の一例を示す図である。
【図４】作動情報データベースＤＢ５の一例を示す図である。
【図５】履歴記録動作の一例を示すシーケンス図である。
【図６】履歴表示動作の一例を示すシーケンス図である。
【図７】在館履歴取得画面の一例を示す図である。
【図８】在館履歴表示画面の一例を示す図である。
【図９】地図履歴表示画面の一例を示す図である。
【図１０】シークバーＳ３を有する地図履歴表示画面の一例を示す図である。
【発明を実施するための形態】
【０００８】
１．実施形態
図１は、本発明の一実施形態に係る自動火災報知設備１００（以下、「自火報設備１００」という。）と情報処理システム２００の構成の一例を示すブロック図である。図２は、火災受信機３と携帯端末５と支援サーバ６の機能の一例を示すブロック図である。
【０００９】
＜自火報設備１００の構成＞
自火報設備１００は防火対象物である建物に設置される。ここで建物とは、ホテル、マンション等の集合住宅、オフィスビル、商業施設などである。自火報設備１００は、建物の各所に配置される複数の火災感知器１と、建物の各所に配置される複数の防火戸２と、建物の防災センタに設置される火災受信機３とを備える。火災受信機３は火災感知器１と信号線を介して、防火戸２とは中継器４と信号線とを介して接続される。自火報設備１００はＰ型システムであってもＲ型システムであってもよい。
【００１０】
＜火災感知器１の構成＞
防災設備の一例である火災感知器１は、煙感知器、熱感知器、炎感知器等の感知器である。本実施形態では光電式の煙感知器を想定する。火災感知器１は、特に図示しないが、火災時に発生する煙を検知して火災を検出する火災検出部と、火災検出部が火災を検出すると自己の識別情報であるアドレスを含む火災信号を火災受信機３に送信する火災信号送信部とを備える。
【００１１】
＜防火戸２の構成＞
防災設備の一例である防火戸２は同じく防災設備の一例である中継器４を介して火災受信機３に接続される。防火戸２は、特に図示しないが、自己を作動（具体的には閉鎖）させるための駆動部と、駆動部により自己が作動させられたことを示す作動信号を中継器４に出力する作動信号出力部とを備える。中継器４は、特に図示しないが、火災受信機３から送信される制御信号に基づいて防火戸２の作動を制御する作動制御部と、防火戸２から出力される作動信号を監視、受信する作動信号監視部と、作動信号監視部が作動信号を受信すると、自己の識別情報であるアドレスを含む作動信号を火災受信機３に送信する作動信号送信部とを備える。なお、防火戸２に中継器４の機能を組み込み一体としてもよい。
【００１２】
＜火災受信機３の構成＞
火災受信機３は、特に図示しないが、ＣＰＵ等の演算部と、ＨＤＤやフラッシュメモリ等の記憶部と、液晶ディスプレイや有機ＥＬディスプレイ等の表示部と、操作ボタンやタッチパネル等の操作部と、情報処理システム２００と通信するための通信部とを備える。記憶部には、図２に示すように、設備情報データベースＤＢ１が記憶される。設備情報データベースＤＢ１は、建物に設置される各防災設備について、アドレスと、設備種別情報と、設置場所情報とを対応付けて記憶する。火災受信機３は、図２に示すように、火災信号取得部３１と、作動信号取得部３２と、作動情報送信部３３という機能を備える。これらの機能は、演算部が、記憶部に記憶されるプログラムを実行することにより実現される。
【００１３】
火災信号取得部３１は、火災感知器１から送信される火災信号を取得する。作動信号取得部３２は、中継器４から送信される作動信号を取得する。作動情報送信部３３は、火災信号取得部３１が火災信号を取得すると、設備情報データベースＤＢ１を参照して、火災信号に含まれるアドレスに対応する防災設備の設備種別と設置場所とを特定し、これらの情報と発生イベント（具体的には発報）とを作動情報として支援サーバ６に通知する。また作動情報送信部３３は、作動信号取得部３２が作動信号を取得すると、設備情報データベースＤＢ１を参照して、作動信号に含まれるアドレスに対応する防災設備の設備種別と設置場所とを特定し、これらの情報と発生イベント（具体的には作動）とを作動情報として支援サーバ６に通知する。
【００１４】
＜情報処理システム２００の構成＞
情報処理システム２００は、防火対象物である建物に在館する自衛消防隊員が携帯する携帯端末５と、自衛消防隊の活動を支援する支援サーバ６とを備える。携帯端末５と支援サーバ６と火災受信機３とは、インターネット等の通信回線７を介して相互に接続される。ここで自衛消防隊とは、火災や地震等の災害時に初期活動や応急対策を円滑に行い、例えば、建物の利用者の安全を確保するため建物毎に設置される組織である。自衛消防隊は、例えば、初期消火係、避難誘導係、安全防護係、通報連絡係、応急救護係、非常持出係、指揮係等により構成される。
【００１５】
＜携帯端末５の構成＞
携帯端末５は、スマートフォンやタブレット端末や携帯電話機等の携帯型のコンピュータである。携帯端末５は具体的には、特に図示しないが、ＣＰＵ等の演算部と、フラッシュメモリやＨＤＤ等の記憶部と、液晶ディスプレイや有機ＥＬディスプレイ等の表示部と、タッチセンサや操作ボタン等の操作部と、支援サーバ６と通信するための通信部と、建物の各所に設置されるビーコン発信機から定期的に送信されるビーコン信号を受信するための受信部とを備える。ここでビーコン発信機から送信されるビーコン信号には、当該信号を送信するビーコン発信機の識別情報である発信機ＩＤが重畳される。ビーコン信号は例えば、近距離無線通信規格であるＢＬＥ（Bluetooth（登録商標） Low Energy）やＺｉｇＢｅｅ（登録商標）に従って送信される。ビーコン発信機は上記の火災感知器１と一体化されてもよい。
【００１６】
携帯端末５は、図２に示すように、発信機ＩＤ送信部５１と、時刻指定情報送信部５２と、履歴情報取得部５３と、表示制御部５４という機能を備える。これらの機能は、演算部が、記憶部に記憶されるプログラムを実行することにより実現される。
【００１７】
発信機ＩＤ送信部５１は、受信部が受信したビーコン信号に重畳された発信機ＩＤが、前回受信したビーコン信号に重畳されたものと異なる場合に（すなわち、携帯端末５が移動した場合に）、受信したビーコン信号に重畳された発信機ＩＤを自端末の識別情報である端末ＩＤとともに支援サーバ６に送信する。ここで端末ＩＤとは具体的には、携帯端末５の製造番号や電話番号等である。
【００１８】
時刻指定情報送信部５２は、支援サーバ６から携帯端末５の位置と防災設備の作動状況の履歴情報を取得する際に、取得対象となる履歴情報を指定するための時刻指定情報を支援サーバ６に送信する。この時刻指定情報は利用者により指定され、取得する履歴情報の開始日時と終了日時とを示す。すなわち所定の期間を示す。履歴情報取得部５３は、時刻指定情報送信部５２による時刻指定情報の送信に対して支援サーバ６から送信されてくる履歴情報を取得する。
【００１９】
表示制御部５４は各種画面を表示部に表示させる。具体的には、時刻指定情報を入力するための在館履歴取得画面を表示させる。また表示制御部５４は、履歴情報取得部５３が取得した履歴情報に基づいて在館履歴表示画面と地図履歴表示画面とを表示させる。在館履歴表示画面を表示させる際には、取得された履歴情報（携帯端末５の位置情報と防災設備の作動情報を含む。）を時系列に並べたリストを表示させる。また、取得された履歴情報が示す携帯端末５の位置又は防災設備の作動状況を図示する立面図を表示させる。この立面図は、取得された履歴情報のうち上記の指定された期間内でさらに指定された時刻に対応する履歴情報が示す携帯端末５の位置又は防災設備の作動状況を図示する。一方、地図履歴表示画面を表示させる際には、取得された履歴情報が示す携帯端末５の位置又は防災設備の作動状況を図示する平面図を表示させる。この平面図は、取得された履歴情報のうち上記の指定された期間内でさらに指定された時刻に対応する履歴情報が示す携帯端末５の位置又は防災設備の作動状況を図示する。各画面の詳細な構成については後述する。
【００２０】
＜支援サーバ６の構成＞
支援サーバ６は、自衛消防隊員（が所持する携帯端末５）の位置情報と防災設備の作動情報の履歴を記録するコンピュータである。支援サーバ６は具体的には、特に図示しないＣＰＵ等の演算部と、ＨＤＤやフラッシュメモリ等の記憶部と、液晶ディスプレイや有機ＥＬディスプレイ等の表示部と、操作ボタンやタッチセンサ等の操作部と、火災受信機３及び携帯端末５と通信するための通信部とを備える。なお、記憶部は、通信回線７を介して接続される外部サーバに設置されてもよい。記憶部には、図２に示すように、隊員情報データベースＤＢ２と、発信機情報データベースＤＢ３と、隊員位置情報データベースＤＢ４と、作動情報データベースＤＢ５とが記憶される。
【００２１】
隊員情報データベースＤＢ２は、建物に在館する各自衛消防隊員について、隊員が携帯する携帯端末５の端末ＩＤと、氏名と、担当するフロア名と、担当する係名とを対応付けて記憶する。発信機情報データベースＤＢ３は、建物に設置される各ビーコン発信機について、発信機ＩＤと、設置場所とを対応付けて記憶する。隊員位置情報データベースＤＢ４は、自衛消防隊員の位置情報の履歴を記憶する。図３は、隊員位置情報データベースＤＢ４の一例を示す図である。隊員位置情報データベースＤＢ４は、同図に示すように、日時と、隊員の位置と、隊員の氏名と、隊員の担当フロア名と、隊員の担当係名とを対応付けて記憶する。作動情報データベースＤＢ５は、防災設備の作動情報の履歴を記憶する。図４は、作動情報データベースＤＢ５の一例を示す図である。作動情報データベースＤＢ５は、同図に示すように、日時と、防災設備の設置場所と、防災設備の設備種別と、発生イベントとを対応付けて記憶する。
【００２２】
支援サーバ６は、図２に示すように、作動情報取得部６１と、作動情報格納部６２と、発信機ＩＤ取得部６３と、隊員位置情報取得部６４と、隊員位置情報格納部６５と、時刻指定情報取得部６６と、隊員位置情報抽出部６７と、作動情報抽出部６８と、履歴情報送信部６９という機能を備える。これらの機能は、演算部が、記憶部に記憶されるプログラムを実行することにより実現される。
【００２３】
作動情報取得部６１は、防災設備の作動状況を示す作動情報を火災受信機３から取得する。作動情報格納部６２は、作動情報取得部６１が取得した作動情報を時刻情報と対応付けて履歴情報として記憶部の作動情報データベースＤＢ５に格納する。
【００２４】
発信機ＩＤ取得部６３は、発信機ＩＤと端末ＩＤとを携帯端末５から取得する。隊員位置情報取得部６４は、自衛消防隊員が携帯する携帯端末５の位置情報を取得する。具体的には発信機情報データベースＤＢ３を参照して、発信機ＩＤ取得部６３が取得した発信機ＩＤに対応する位置情報を取得する。隊員位置情報格納部６５は、隊員位置情報取得部６４が取得した位置情報を時刻情報と対応付けて履歴情報として記憶部の隊員位置情報データベースＤＢ４に格納する。その際、隊員位置情報格納部６５は、隊員情報データベースＤＢ２を参照して、発信機ＩＤ取得部６３が取得した端末ＩＤに対応する氏名と担当フロア名と担当係名とを特定し、これらの情報も位置情報及び時刻情報と対応付けて隊員位置情報データベースＤＢ４に格納する。
【００２５】
時刻指定情報取得部６６は、履歴情報を取得するために携帯端末５から送信されてくる時刻指定情報を取得する。隊員位置情報抽出部６７は、指定された時刻に対応する位置情報を記憶部の隊員位置情報データベースＤＢ４から抽出する。ここで、指定された時刻とは、時刻指定情報取得部６６が取得した時刻指定情報により示される時刻である。なお、隊員位置情報抽出部６７は、期間（換言すると、２つの時刻間の継続した時間）が指定された場合には、当該指定された期間に対応する複数の位置情報を記憶部の隊員位置情報データベースＤＢ４から抽出する。隊員位置情報抽出部６７は位置情報を抽出する際には、位置情報に加えて、これに対応する隊員氏名と担当フロア名と担当係名とを履歴情報として抽出する。作動情報抽出部６８は、指定された時刻に対応する作動情報を記憶部の作動情報データベースＤＢ５から抽出する。ここで、指定された時刻とは、時刻指定情報取得部６６が取得した時刻指定情報により示される時刻である。なお、作動情報抽出部６８は、期間が指定された場合には、当該指定された期間に対応する複数の作動情報を記憶部の作動情報データベースＤＢ５から抽出する。作動情報抽出部６８は作動情報を抽出する際には、作動情報に加えて、これに対応する設置場所と設備種別と発生イベントとを履歴情報として抽出する。履歴情報送信部６９は、隊員位置情報抽出部６７又は作動情報抽出部６８が抽出した履歴情報を携帯端末５に対して送信する。
【００２６】
＜履歴記録動作＞
支援サーバ６が自衛消防隊員の位置情報と防災設備の作動情報の履歴を記録する動作について図５を参照して説明する。図５は、この履歴記録動作の一例を示すシーケンス図である。
【００２７】
火災受信機３の火災信号取得部３１が火災感知器１から火災信号を取得すると（Ｓａ１）、火災受信機３の作動情報送信部３３は、設備情報データベースＤＢ１を参照して、取得された火災信号に含まれるアドレスに対応する設備種別と設置場所とを特定し（Ｓａ２）、これらの情報と発生イベントとを作動情報として支援サーバ６に通知する（Ｓａ３）。
【００２８】
支援サーバ６の作動情報取得部６１が、火災受信機３から通知された作動情報を取得すると、支援サーバ６の作動情報格納部６２は、取得された作動情報を時刻情報と対応付けて履歴情報として記憶部の作動情報データベースＤＢ５に格納する（Ｓａ４）。
【００２９】
別の例として、火災受信機３の作動信号取得部３２が中継器４から作動信号を取得すると（Ｓａ５）、火災受信機３の作動情報送信部３３は、設備情報データベースＤＢ１を参照して、取得された作動信号に含まれるアドレスに対応する設備種別と設置場所とを特定し（Ｓａ６）、これらの情報と発生イベントとを作動情報として支援サーバ６に通知する（Ｓａ７）。
【００３０】
支援サーバ６の作動情報取得部６１が、火災受信機３から通知された作動情報を取得すると、支援サーバ６の作動情報格納部６２は、取得された作動情報を時刻情報と対応付けて履歴情報として記憶部の作動情報データベースＤＢ５に格納する（Ｓａ８）。
【００３１】
別の例として、支援サーバ６の発信機ＩＤ取得部６３が携帯端末５から発信機ＩＤと端末ＩＤとを取得すると（Ｓａ９）、支援サーバ６の隊員位置情報取得部６４は、発信機情報データベースＤＢ３を参照して、取得された発信機ＩＤに対応する位置情報を取得する（Ｓａ１０）。隊員位置情報格納部６５は、隊員情報データベースＤＢ２を参照して、取得された端末ＩＤに対応する氏名と担当フロア名と担当係名とを特定する（Ｓａ１１）。そして隊員位置情報格納部６５は、これら特定した情報と取得された位置情報とを時刻情報と対応付けて履歴情報として記憶部の隊員位置情報データベースＤＢ４に格納する（Ｓａ１２）。
【００３２】
＜履歴表示動作＞
携帯端末５が自衛消防隊員の位置情報と防災設備の作動情報の履歴を表示する動作について図６を参照して説明する。図６は、この履歴表示動作の一例を示すシーケンス図である。
【００３３】
携帯端末５の利用者が履歴情報を表示させるために所定のプログラムの実行を指示すると、携帯端末５の表示制御部５４は在館履歴取得画面を表示部に表示させる（Ｓｂ１）。図７は、この在館履歴取得画面の一例を示す図である。在館履歴取得画面は、表示対象となる履歴情報を指定するための時刻指定情報を入力するための画面である。在館履歴取得画面は、開始日時と終了日時を入力するための入力フィールドＦ１及びＦ２を有する。利用者が開始日時と終了日時とを入力して取得ボタンＢ１を選択すると、携帯端末５の時刻指定情報送信部５２は、入力された開始日時と終了日時とを示す時刻指定情報を支援サーバ６に送信する（Ｓｂ２）。
【００３４】
支援サーバ６の時刻指定情報取得部６６が、携帯端末５から送信された時刻指定情報を取得すると、支援サーバ６の隊員位置情報抽出部６７は、取得された時刻指定情報により示される期間に対応する複数の履歴情報を記憶部の隊員位置情報データベースＤＢ４から抽出する（Ｓｂ３）。具体的には、指定された開始日時以後でありかつ終了日時以前の日時に格納された履歴情報を抽出する。支援サーバ６の作動情報抽出部６８は、取得された時刻指定情報により示される期間に対応する複数の履歴情報を記憶部の作動情報データベースＤＢ５から抽出する（Ｓｂ４）。具体的には、指定された開始日時以後でありかつ終了日時以前の日時に格納された履歴情報を抽出する。支援サーバ６の履歴情報送信部６９は、隊員位置情報抽出部６７と作動情報抽出部６８とが抽出した履歴情報を携帯端末５に対して送信する（Ｓｂ５）。
【００３５】
携帯端末５の履歴情報取得部５３が、支援サーバ６から送信された履歴情報を取得すると、携帯端末５の表示制御部５４は、取得された履歴情報に基づいて在館履歴表示画面を表示部に表示させる（Ｓｂ６）。図８は、この在館履歴表示画面の一例を示す図である。在館履歴表示画面は、自衛消防隊員の位置情報と防災設備の作動情報の履歴を表示するための画面である。在館履歴表示画面は、取得された履歴情報を時系列に並べたリストＬと、取得された履歴情報が示す位置又は作動状況を図示する立面図Ｃとを有する。リストＬは同画面において縦方向に延びるように配置され、履歴情報は昇順に並べられる。リストＬに列挙される履歴情報は具体的には自衛消防隊員の位置情報か又は防災設備の作動情報に関する履歴情報であり、これらの情報は混在する形で列挙される。リストＬが表示部の表示領域に収まらない場合にはリストＬの端にスクロールバーＳ１が表示される。立面図Ｃは建物を横から見た図であり、建物を構成する各フロアは昇順に並べられる。各フロアは複数の区画に分類され、履歴情報は、対応するフロア及び区画の領域に配置される。図８では作動情報の履歴情報として４階の領域に発報マークＭ１が配置されている。立面図Ｃが表示部の表示領域に収まらない場合には立面図Ｃの端にスクロールバーＳ２が表示される。立面図ＣはリストＬの横に並べて配置される。
【００３６】
リストＬに列挙される履歴情報はそれぞれ選択可能に表示され、いずれかの履歴情報が例えばカーソルを使って利用者により選択されると、立面図Ｃは、その選択された履歴情報の格納時刻における自衛消防隊員の位置と防災設備の作動状況とを図示する。すなわち立面図Ｃの図示内容はリストＬにおける履歴情報の選択に連動して変化する。なおここで、選択された履歴情報の格納時刻における自衛消防隊員の位置と防災設備の作動状況とは、具体的には、当該格納時刻以前に格納された履歴情報であって直近の履歴情報が示す自衛消防隊員の位置と防災設備の作動状況のことである。
【００３７】
立面図Ｃの左端に配置されるフロア名ボタンＢ２はそれぞれ選択可能に表示され、いずれかのフロア名ボタンＢ２が利用者により選択されると、表示制御部５４は、選択されたフロアの地図履歴表示画面を表示部に表示させる。図９は、この地図履歴表示画面の一例を示す図である。地図履歴表示画面は、選択されたフロアの平面図Ｐを有する。平面図Ｐは建物の水平断面を図示する。また平面図Ｐは、リストＬにおいて選択されている履歴情報の格納時刻における自衛消防隊員の位置と防災設備の作動状況とを図示する。すなわち平面図Ｐの図示内容はリストＬにおける履歴情報の選択に連動する。なおここで、選択された履歴情報の格納時刻における自衛消防隊員の位置と防災設備の作動状況とは、具体的には、当該格納時刻以前に格納された履歴情報であって直近の履歴情報が示す自衛消防隊員の位置と防災設備の作動状況のことである。図９に示す平面図Ｐでは位置情報の履歴情報として隊員マークＭ２が図示されている。また作動情報の履歴情報として発報マークＭ１と太線の防火戸マークＭ３とが図示されている。防火戸マークＭ３は太線で図示されることで作動済みであることを表している。平面図Ｐが表示部の表示領域に収まらない場合には平面図Ｐの端にスクロールバー（図示なし）が表示される。地図履歴表示画面は利用者が取消ボタンＢ３を選択すると上述の在館履歴表示画面に切り替わる。
【００３８】
以上説明した本実施形態によれば、携帯端末５の利用者は自衛消防隊員の位置情報や防災設備の作動情報の履歴を参照することができる。その結果、自衛消防隊員の活動を事後に分析して評価することができる。また、在館履歴表示画面ではリストＬと立面図Ｃとが並べて配置され、立面図Ｃの図示内容はリストＬ上の選択に連動するため、自衛消防隊員の位置と防災設備の作動状況の経時的な変化が理解しやすい。また、地図履歴表示画面の平面図Ｐの図示内容もリストＬ上の選択に連動するため、その点でさらに自衛消防隊員の位置と防災設備の作動状況の経時的な変化が理解しやすい。
【００３９】
２．変形例
上記の実施形態は下記のように変形してもよい。また、下記の変形例は他の１以上の変形例と組み合わせてもよい。
【００４０】
＜変形例１＞
上記の実施形態では携帯端末５の利用者が当該端末に履歴情報を表示させているが、携帯端末５に代えて火災受信機３、建物の防災センタに設けられ自火報設備１００等の監視や操作を一括して行う総合操作盤又は支援サーバ６の利用者が各装置において履歴情報を表示させるようにしてもよい。すなわち火災受信機３、総合操作盤又は支援サーバ６が、携帯端末５が有する図２に示す各機能を有してもよい。
【００４１】
上記の実施形態では支援サーバ６に隊員位置情報データベースＤＢ４と作動情報データベースＤＢ５とを備えさせ、支援サーバ６に履歴情報を記憶させているが、支援サーバ６に代えて火災受信機３、総合操作盤又は携帯端末５にこれらのデータベースを備えさせて履歴情報を記憶させるようにしてもよい。すなわち火災受信機３、総合操作盤又は携帯端末５が、支援サーバ６が有する図２に示す各機能を有してもよい。
【００４２】
＜変形例２＞
上記の実施形態では自衛消防隊員の位置と防災設備の作動状況の両方の履歴が記録されているが、これらのうちの一方のみを記録するようにしてもよい。
【００４３】
＜変形例３＞
上記の実施形態では自衛消防隊員の位置が変化したときや防災設備の作動状況が変化したときにその履歴を記録するようにしているが、イベントの発生の有無によらず定期的に履歴を記録するようにしてもよい。
【００４４】
＜変形例４＞
上記の履歴表示動作において携帯端末５の利用者は、支援サーバ６に対して履歴情報を要求する際に、時刻以外にも隊員の氏名や隊員の係や防災設備の種別や建物内の場所等の条件を指定するようにしてもよい。
【００４５】
＜変形例５＞
上記の履歴表示動作では携帯端末５の利用者により指定された時刻に対応する履歴情報が支援サーバ６において抽出されているが、支援サーバ６において抽出される履歴情報は予め定められた時刻に対応する履歴情報であってもよい。例えば、最初の火災感知器１の発報から所定時間経過時までの期間に対応する履歴情報が支援サーバ６において自動的に抽出されてもよい。
【００４６】
＜変形例６＞
上記の実施形態では携帯端末５は自端末の位置情報としてビーコン発信機の発信機ＩＤを支援サーバ６に送信しているが、当該発信機ＩＤは携帯端末５の位置情報の一例である。別の例として、ビーコン発信機の発信機ＩＤに代えて設置場所情報をビーコン発信機に定期的に送信させ、携帯端末５は、このビーコン発信機から送信される設置場所情報を自端末の位置情報として支援サーバ６に送信してもよい。また別の例として、携帯端末５は無線ＬＡＮのアクセスポイントから発信されるビーコン信号を受信して、その電波強度に基づいて自端末の測位を行い、測定した位置を支援サーバ６に通知するようにしてもよい。その際、携帯端末５はＰＤＲ（歩行者デッドレコニング）を併用してもよい。測位方式としてはＩＭＥＳ（Indoor Messaging System）を利用したものや音波信号を利用したもの等を採用してもよい。また別の例として、火災感知器１にBluetooth（登録商標）等の近距離無線通信規格に準拠した通信モジュールを備えさせ、火災感知器１が携帯端末５から受信した端末ＩＤと自機のアドレスとを当該端末の位置情報として支援サーバ６に送信するようにして、火災感知器１の設置場所情報により携帯端末５の位置を特定するようにしてもよい。
【００４７】
＜変形例７＞
上記の実施形態では自衛消防隊員が携帯端末５を携帯しているが、自衛消防隊員は建物の在館者の一例である。自衛消防隊員ではない一般在館者や公設消防隊員が携帯端末５を携帯してもよい。
【００４８】
＜変形例８＞
上記の在館履歴表示画面ではリストＬと立面図Ｃとが並べて配置されているが、リストＬと立面図Ｃは別々の画面として表示されてもよい。別の例として、上記の地図履歴表示画面の平面図ＰはリストＬと立面図Ｃとともに在館履歴表示画面内に配置されてもよい。また別の例として、上記の在館履歴表示画面において立面図Ｃに代えて平面図ＰがリストＬの横に配置されてもよい。
【００４９】
＜変形例９＞
上記の在館履歴表示画面のリストＬにおいて履歴情報は降順に並べられてもよい。立面図Ｃにおいて建物の各フロアは降順に並べられてもよい。リストＬと立面図Ｃとは縦方向に並べて配置されてもよい。地図履歴表示画面は、表示対象のフロアを切り替えるためのプルダウンメニューを有してもよい。図９に例示する地図履歴表示画面の防火戸マークＭ３は、太線で図示することで作動済みであることを表しているが、マークの形状や色や表示方法（例えば点滅）により作動済みであることを表してもよい。
【００５０】
＜変形例１０＞
上記の在館履歴表示画面のリストＬではカーソルを使って履歴情報を選択することを想定しているが、履歴情報の選択方法はこれに限られない。例えば、リストＬの長手方向中央に履歴情報選択用の枠を固定的に設け、スクロールバーＳ１を操作して履歴情報をスクロールして当該枠に収められた履歴情報を選択対象として特定するようにしてもよい。
【００５１】
＜変形例１１＞
上記の地図履歴表示画面は、平面図Ｐが図示する履歴情報を指定するためのシークバーＳ３を有してもよい。図１０は、シークバーＳ３を有する地図履歴表示画面の一例を示す図である。シークバーＳ３は、時間軸を示すバーＳ３１と、バーＳ３１上を移動するスライダＳ３２とを有するグラフィカルユーザインタフェースである。シークバーＳ３は、スライダＳ３２の位置により時刻を示している。シークバーＳ３の一端近傍には開始時刻が表示され、他端近傍には終了時刻が表示される。シークバーＳ３のスライダＳ３２をバーＳ３１に沿って移動させると、その移動量に応じて、平面図Ｐが図示している自衛消防隊員の位置と防災設備の作動状況とが経時的に変化する。
【００５２】
なお、シークバーＳ３のスライダＳ３２の移動を自動化してもよい。すなわち平面図Ｐにおいて自衛消防隊員の位置と防災設備の作動状況の変化をアニメーション表示してもよい。別の例として、在館履歴表示画面がシークバーＳ３を有してもよい。その場合、在館履歴表示画面の立面図Ｃの図示内容はシークバーＳ３のスライダＳ３２の移動量に応じて経時的に変化する。また別の例として、地図履歴表示画面と在館履歴表示画面とで１つのシークバーＳ３を共有してもよい。すなわち１つのシークバーＳ３のスライダＳ３２の移動量に応じて平面図Ｐと立面図Ｃの図示内容が経時的に変化してもよい。
【００５３】
＜変形例１２＞
上記の防火戸２は防災設備である防排煙設備の一例である。防火戸２はシャッタや垂れ壁や排煙機により代替されてもよい。火災感知器１は防災整備である自動火災報知設備の一例である。火災感知器１は発信機や地区音響装置により代替されてもよい。
【符号の説明】
【００５４】
１…火災感知器、２…防火戸、３…火災受信機、４…中継器、５…携帯端末、６…支援サーバ、７…通信回線、３１…火災信号取得部、３２…作動信号取得部、３３…作動情報送信部、５１…発信機ＩＤ送信部、５２…時刻指定情報送信部、５３…履歴情報取得部、５４…表示制御部、６１…作動情報取得部、６２…作動情報格納部、６３…発信機ＩＤ取得部、６４…隊員位置情報取得部、６５…隊員位置情報格納部、６６…時刻指定情報取得部、６７…隊員位置情報抽出部、６８…作動情報抽出部、６９…履歴情報送信部、１００…自火報設備、２００…情報処理システム、Ｂ１…取得ボタン、Ｂ２…フロア名ボタン、Ｂ３…取消ボタン、Ｃ…立面図、ＤＢ１…設備情報データベース、ＤＢ２…隊員情報データベース、ＤＢ３…発信機情報データベース、ＤＢ４…隊員位置情報データベース、ＤＢ５…作動情報データベース、Ｆ１、Ｆ２…入力フィールド、Ｌ…リスト、Ｍ１…発報マーク、Ｍ２…隊員マーク、Ｍ３…防火戸マーク、Ｐ…平面図、Ｓ１、Ｓ２…スクロールバー、Ｓ３…シークバー、Ｓ３１…バー、Ｓ３２…スライダ
【図１】
0006310506.tif 000002
【図２】
0006310506.tif 000003
【図３】
0006310506.tif 000004
【図４】
0006310506.tif 000005
【図５】
0006310506.tif 000006
【図６】
0006310506.tif 000007
【図７】
0006310506.tif 000008
【図８】
0006310506.tif 000009
【図９】
0006310506.tif 000010
【図１０】
0006310506.tif 000011